(57)【要約】【課題】      シャンプーのときなどにかつらを装着したままで自分の指で頭皮をマッサージできるかつらを提供する。【解決手段】  ネットベースのかつらにおいて、人工皮膚の周縁の一部に非接合部、及び／又は、ネット部の網目の一部に指が挿通可能な大きさの網目を形成する。【選択図面】  図１
2005350824.tif 000002
【特許請求の範囲】
【請求項１】
ネットベースのかつらにおいて、人工皮膚の周縁の一部及び／又はネット部の一部に指が挿通可能な大きさの隙間を設けたことを特徴とするかつら。
【請求項２】
人工皮膚の周縁に設ける隙間は、人工皮膚の一部とネット部を接合しない非接合部によって構成し、該非接合部のネット部の縁に糸条の一端を取付、該糸条の他端を人工皮膚を介在して反対側付近に取り付けたことを特徴とする請求項１記載のかつら。
【請求項３】
糸条が、１〜複数本設けられていることを特徴とする請求項１又は２記載のかつら。
【請求項４】
指が挿通可能な大きさの隙間が、ネットの網目の一部であることを特徴とする請求項１〜３のいずれかに記載のかつら。
【請求項５】
指が挿通可能な大きさの隙間が、ネットを構成する幹糸を２重の糸から成り、この幹糸と背中合わせにある網糸が、それぞれ一方幹糸に結節されることにより、該幹糸の２重の糸の間隔が開閉可能な状態とすることにより形成されることを特徴とする請求項１〜４のいずれかに記載のかつら。
【請求項６】
かつらが編み込み手段によって頭部に装着されるかつらであることを特徴とする請求項１〜５のいずれかに記載のかつら。
【発明の詳細な説明】
【技術分野】
【０００１】
本発明は、かつらに関する。特に、装着した状態で洗髪が容易にできるかつらに関する。
【背景技術】
【０００２】
かつらは、毎日着脱可能なものや数日から１、２ヶ月間連続して装着するものもある。個人で着脱可能なかつらは、洗髪には容易であるが、連続装着かつらは外して洗髪できないので難儀である。連続装着かつらでは、ネットベースのかつらが用いられ、ネットの編み目から洗髪用の掻き棒や指先を用いて洗髪することがなされており、かなり改善はされてきている。しかしながら、人工皮膚が装着されている頭頂部の分け目やつむじ部では、指は利用できず不自由であった。
特許文献に１にはネットベースのかつらを編み込み手段によって装着するかつらが開示されている。特許文献２には、編み込みアンカーの間隙を利用して洗髪性を改善するかつらが開示されている。特許文献３には、上側かつらの一部をめくり揚げて洗髪するかつらが開示されている。特許文献４には、かつらの頂部など一部を取り外して洗髪するかつらが開示されている。
かつらは、着用時に不自然性が目立たないように、また、温泉などの共同浴場などでは、取り外すことなく自然にシャンプーができることが好ましい。
この観点から見ると、先行文献２は、頭頂部などの人工皮膚部の頭皮を洗浄することは困難である。先行文献３は、開口部が大きくかつらの着用が容易に他人に気取られる危険が高く、また、接続釦を使用するので、帽子の着用時などは釦が頭を押圧して装着感が悪いなどの問題がある。先行文献４は、取り外すのが前提であるので、他人がいる場合にはシャンプーができず、また、着脱部の処理が難しく不自然なかつらに成りやすく、実用的ではない。
本発明者は、自分の指で頭皮を直接触れることができ、自然な着用感と見栄えを確保しつつ、温泉などでも他人の目を気にすることなく自然にシャンプーができるかつらを提供することを目的とする。
【０００３】
【特許文献１】特許第２５７９６６６号公報
【特許文献２】特開平９−３２４３１６号公報
【特許文献３】特開平１１−９３０１１号公報
【特許文献４】特開平７−１０９６０７号公報
【発明の開示】
【発明が解決しようとする課題】
【０００４】
本発明は、シャンプーのときなどにかつらを装着したままで自分の指で頭皮をマッサージできるかつらを提供することを課題とする。
【課題を解決するための手段】
【０００５】
本発明は、人工皮膚の周囲やネットの一部に指が挿入可能な隙間を設けたものである。
【０００６】
（１）ネットベースのかつらにおいて、人工皮膚の周縁の一部及び／又はネット部の一部に指が挿通可能な大きさの隙間を設けたことを特徴とするかつら。
（２）人工皮膚の周縁に設ける隙間は、人工皮膚の一部とネット部を接合しない非接合部によって構成し、該非接合部のネット部の縁に糸条の一端を取付、該糸条の他端を人工皮膚を介在して反対側付近に取り付けたことを特徴とする（１）記載のかつら。
（３）糸条が、１〜複数本設けられていることを特徴とする（１）又は（２）記載のかつら。
（４）指が挿通可能な大きさの隙間が、ネットの網目の一部であることを特徴とする（１）〜（３）のいずれかに記載のかつら。
（５）指が挿通可能な大きさの隙間が、ネットを構成する幹糸を２重の糸から成り、この幹糸と背中合わせにある網糸が、それぞれ一方幹糸に結節されることにより、該幹糸の２重の糸の間隔が開閉可能な状態とすることにより形成されることを特徴とする（１）〜（４）のいずれかに記載のかつら。
（６）かつらが編み込み手段によって頭部に装着されるかつらであることを特徴とする（１）〜（５）のいずれかに記載のかつら。
【発明の効果】
【０００７】
１．洗髪やマッサージにおいて、かつらを装着した状態で直接指で頭皮を触れることができ、洗浄効果や着用者の満足感を充足できる。
２．人工毛をかき分けて、ネットベースに設けた隙間から中に指を挿入するので、洗髪動作やマッサージ動作が自然の仕草にみえて違和感を与えない。
３．ネット部にも指挿通部を配置したので、頭全体を自分の指で直接触れることができ、満足感が向上する。
４．糸条は、ネット部側が隙間によって浮き上がったり、不自然に寄れたりすることを防止する効果を発揮して自然さを保つことができる。
５．特に、編み込み手段などによって、数日から１，２月間の長期間に渡り連続着用するかつらに適用することによって、かつら利用者の満足感を向上させることができる。
【発明を実施するための最良の形態】
【０００８】
本発明に使用されるネットベースかつらは、着用者の装着頭部に合わせたお椀型のネットベースと人工毛から大きく構成される。
お椀型のネットベースは、幅広の環状部とその内側に網目状に張りめぐらされたネット部、分け目やつむじに相当部分に設けられる人工皮膚から主に構成される。人工皮膚は省略することもできる。
人工毛は、ネット部と人工皮膚に植毛されている。植毛手段は、ネットを構成する糸が撚糸の場合は、撚りの目の間に挿通して「Ｕ」字状に折り返して取り付けるなどして人工毛を挟み込んで固着されている。人工皮膚には、先端部を埋め込み接着する、あるいは、縫い込んで固着することができる。
なお、人工毛は、合成繊維あるいは人間の毛髪を利用している。利用者の個性に応じて、太さ、粗さ、密度、色調、くせなどを調整することができる。
【０００９】
ネットの構成は、人工毛を固着した糸を利用してネットの網目を形成する。人工皮膚は、ネットの網目を人工皮膚を取り付ける部分の形状に開けた穴に人工皮膚の周縁を逢着などの手段を用いて取り付ける。
ネットの大きさ、形状、人工皮膚の大きさ、設置位置は、個々の利用者の個性に合わせて、それぞれ計測した上で設計される。また、人工毛の色、白髪の混入、人工皮膚の色も個性に合わせて製造されることが多い。
この様なネットベースかつらは、利用者の自毛に取り付けるか頭皮に張り付けて装着される。一例として、本出願人が提案した特許文献１に開示される編み込み手段がある。この方法は、かつらの装着部位に自毛と糸を用いて土台を編み込んで形成し、この土台にネットベースかつらの周縁部をかがり付けて、容易には脱着できないようにしたものである。この手段では、自毛が成長して土台がゆるむ２ヶ月程度は連続装着可能である。この装着間は、風にも強く、水泳もできるほど強力に装着されており、自然に装着されている。
この間の洗髪などにおいては、ネットの網目から指先を利用して、あるいは、小さな掻き棒やブラシを利用して頭皮のマッサージを行うことができる。しかし、網目は指を挿通するほどに大きくすることは困難で、マッサージの自由度に制限がある。
【００１０】
本発明は、人工皮膚の周縁を取り付ける際に、一部を固着しない非接合部分を設け、この隙間から指を挿入して頭皮を直接指でマッサージできるように構成するものである。この隙間は、最小幅を指１本分から数本が挿入できるほどの長さとする。隙間の数は、人工皮膚の大きさや形状によるが、１〜数カ所設けることができる。
【００１１】
人工皮膚は、一定の形状をしているのに対し、ネット部分は変形しやすいので、人工皮膚と接合していないネット部分は変形が大きくなり、平常時に風や指が毛にかかったときに不自然に変形し易くなる危険がある。これを防止するために、ネットの非接合部分に連結糸条を取り付ける。この糸条は一端を非接合部のネット側に、他端を人工皮膚を介在して反対側の縁付近に連結する。他端は人工皮膚の縁でもネット部でも可能である。人工皮膚を取り付ける穴を形成した際に、穴の対応縁を糸条で結びつけてから、人工皮膚を取り付けることも製造工程の工夫でもある。
【００１２】
人工皮膚の幅は、４、５cmあるので、糸条の長さは、同程度となる。指を挿入した場合は、この糸条の下に指を挿入することができ、マッサージの弊害になることはない。また、この糸条を複数本設けた場合でも、糸条の間隔を拡げて挿入できる余裕があるので、マッサージ可能である。特に複数本設ける場合は、平行に張ることもでき、また、扇状に他端部の間隔を広げて固着することもできる。固着位置は、反対側を原則とするが、非連結部の位置や大きさなどにより、変形防止に有効になるように決定する。
糸条の種類は、伸縮性のないものでも、伸縮性の材質でも可能である。
糸条は、人工皮膚の表面側あるいは裏面側を通すことができる。表面側を通すと人工皮膚の非連結部が浮き上がることを防止する作用効果がある。裏面側を通すと、頭に櫛を通したときなどに糸条に引っかかる危険を回避できる。人工皮膚は面状のシートでできているので、浮き上がりなどの変形に対する抵抗性がある。
【００１３】
ネットの網目は、例えば、一定の間隔で輪状に幹糸を複数配置し、その隣接する幹糸を人工毛を植毛した糸をジグザグに往復させて、三角形状の網目が形成される。幹糸は、植毛していないものでも良い。この三角形は一辺が１cm程度で、指が通るには小さすぎるので、この網目を通してマッサージをする場合は、指先のみでその網目付近の頭皮にふれることとなる。これでは、隔靴掻痒の感を拭えず、フラストレーションがたまり易いものである。
網目部から十分なマッサージを施すために、指を挿入できる構成として、この三角の結節部を一つとばすと指１本を挿入できる隙間を作ることができる。あるいは、結節間隔を広くとっても指が挿通できる隙間とすることができる。この結節部をとばすなどして形成する隙間の配置は、必要箇所に設けることができ、バランス良く数カ所設けると頭皮全体をカバーできる。連続して設けると地肌が見え易くなるので好ましくない。
【００１４】
また、別の手段では、幹糸の一部分を２本で形成し、三角形の結節部を別々の糸に設けることによって、幹糸の２重部分に隙間を形成し、この隙間から指を挿入して頭皮をマッサージすることもできる。幹糸全体を２本の糸で構成し、隙間を設ける部分では、別々の糸に結節するようにしても良い。
ネットの網目部分に設ける指の挿入隙間は、人工毛の自然な流れを維持するために、指１本部分とすることが好ましい。この幹糸に設ける隙間の配置も、必要箇所に設けることができ、バランス良く数カ所設けると頭皮全体をカバーできる。
ネットベースのかつらは、既製品あるいはオーダーメイドで作成される。オーダーメイドの場合は、採寸し、利用者の構成に応じて製作される。指を挿通する隙間の位置や大きさも利用者に応じて設計することができる。既製品の場合は、モデル的に指の挿通位置が決められている。結節位置の変更は、想定位置付近の結節を緩めておき、利用者の希望を入れて結節をきつく固定することにより、利用者の要望に柔軟に対応することができる。
【００１５】
指を挿通する箇所は、人工皮膚の周囲とネット部を適宜組み合わせて配置することができる。
用途としては、長時間連続して着用するかつらに適しているが、ネットベースを用いるかつらに一般的に適用することが可能である。１日や外出時に着用するかつらであっても、頭にかゆみなどの違和感を感じた場合に、該当個所を的確にふれることができる。また、医療用などの入院患者などの着用においても同様な必要性を挙げることができる。特に、好ましくは、自毛にくくりつけるようにして１日以上の長時間に渡り着用するかつらにおいて、必要性が高い。
【００１６】
実施例を以下に示す。
本実施例は、人工皮膚を分け目に相当する部分に設けたネットベースのかつらである。
図１はネットベースかつらを裏面側から見た模式的図、図２は人工皮膚とその周辺部の概略図、図３は網目の結節とばし部の略図、図４は２重幹糸部の略図、図５はかつらの装着工程図をしめす。
【実施例１】
【００１７】
本実施例は、人工皮膚の周縁の一部をネット部に接合せずに指が挿入できる隙間を設けた例である。
かつらの毛がある側を表面とし、頭皮に接する側を裏面とした場合に、裏面から見た状態を模式的に示した図が図１である。かつらＡは、人工毛１とネットベース２から構成されている。ネットベース２は、ネットベースの周縁を形作る柔軟性のある環状部２１、分け目やつむじ部の地肌が見えやすい部分に設けられる人工皮膚３０と幹糸２２と網糸２４で網目に構成されたネット部２０から主に構成される。人工毛は、幹糸２２、網糸２４、人工皮膚３０と環状部２１に植毛されるが、必要に応じて部分的に植毛されないこともある。人工皮膚３０は中心よりやや右寄りに取り付けられ、分け目部からつむじにかけた大きさに形成されている。
【００１８】
この図では、人工皮膚３０の右側縁がネットと接合されず、開放縁部４０が形成されている。この開放縁部の４０のネット側の縁に当たる幹糸を第１幹糸２３とする。この、第１幹糸２３の開放部は、引っ張られたりすると隙間の幅が開く方向に変形するので、このような変形を防止するために、第１幹糸の開放部と人工皮膚３０の左側縁部とに連結糸条５０を掛け渡す。連結糸条は、伸縮性があっても、なくても良い。なお、開放縁部４０は、幅のある隙間のように図示しているが、これは、理解し易いように図化したもので、実際には静置されている場合は、ほぼ両者の縁が接触あるいは近接し、このような幅のある隙間は生じていない。また、大きな網目Ｂや幹糸隙間Ｃを適宜併用した場合の配置を例に示した。
ネットベース２の大きさ、形状は、着用者の個々人の実状に応じて作成されることが多い。詳しくいえば、オーダーメイドで作成する場合は、利用者の頭を採寸して、周囲の形状、お椀の形状が決定され、人工皮膚の位置、大きさを決めてネットベースを作成する。また、人工皮膚の色、植毛する毛の色、質も利用者の個性に合わせて選択される。
【００１９】
例えば、一例をあげれば、前後長２０cm、左右幅１８cmのほぼ円形に近い楕円で、頭に沿わせることができるように、お椀型をしており、人工皮膚は、幅５cm、長さ１０cmである。幹糸の間隔は約１cm、網糸は、１cmの結節間隔で隣接する幹糸の間をジグザグに掛け渡されて、略３角形の網目が構成される。幹糸間隔と結節間隔を調節することで毛の密度を調整することができるので、必ずしも全体に一様である必要はない。網糸は、辺の直線長よりもやや長く結びつけて、ゆとりを設けることによって、ネットベースにゆとりを持たせて柔軟性を賦与することができる。この例では、幹糸は左右の幅方向で１４本、前後方向では９本設けられている。
【００２０】
図２は、人工皮膚を取り付けた付近を拡大した略図である。前記のようにネットと人工皮膚とは一部接合されていない部分を設け、この非接合部を上下に開いて指を挿入し、人工皮膚の下に位置する頭皮部を中心にマッサージする。指を挿入するには左右に開く必要はなく、上下に開くことが重要なので、非接合部が幅方向に開くことを規制する連結糸条５０は、ネットの第１幹糸２３と人工皮膚３０の左縁部付近に止めることにより、上下に開口させる余裕を持たせることができる。左縁側の止着部は、人工皮膚でもネットでも良い。連結糸条は伸縮性でも非伸縮性でも良い。伸縮性の場合は、指の挿入及びマッサージの動作中に追従性を持たせることができる。この連結糸条は、かつらの付け替え時などに、交換できるので、緩みが生ずる前にメンテナンス可能である。
この非連結部の長さは、挿入する指の太さと本数による。人差し指の周囲は５０〜６０mm程度、幅にして１０〜２０mm程度である。従って、非連結部の長さは２０〜６０mm程度が適当である。２０mm程度の場合は、必ずしも連結糸条は必要ないが、長くなるに従って、本数を増やすことが望ましい。例えば、３０mm以上の場合は、連結糸条を設けることが好ましい。
【００２１】
図５は、かつらの装着方法の一つであるかがり付けによるかつらの装着工程を示している。
編み込み工程Ａ、差込（かがり）工程Ｂ、自毛とのミックス工程Ｃ、セット工程Ｄの４つの工程からなっている。
編み込み工程Ａは、数本の撚り糸を引き伸ばし張設し、頭部の薄毛箇所周辺に残った健康毛を１０数本程度束ね、束ねた毛体を張設した撚り糸で編み込み、編み込み長さが４０〜５０ミリの間隔で結び目を作り固定させ、かつらの外周に合わせてカツラを取り付ける編み込み土台を形成する。上記数本の撚り糸と毛体を編み込む際、両指の親指、人差し指、中指の６指を使用して編み込む。
差込（かがり）工程Ｂは、かつらを編み込み土台に固定する工程である。編み込み土台とかつらのネットベースの環状部とをかがり糸を使用して、縫いつけて、強固に装着する。
自毛とのミックス工程Ｃは、自毛とかつらの人工毛を馴染ませる工程である。
セット工程Ｄは、整髪などをして整える工程である。
【００２２】
この装着方法によれば、編み込み土台とかつらが縫いつけられているので、強力な装着であり、強風や水泳、シャンプーなどによってもかつらが外れる心配はない。自毛が成長するに従い編み込み土台が緩んでくるので、１〜２ヶ月の頻度で再装着をするのが実用的である。この頻度は、散髪や美容院と同程度ある。
なお、本発明は、このかがりつけ手段によるかつらに限定されるものではなく、ネットベースのかつら一般に適用しても、装着したままマッサージができるという利便性は変わらない。本出願人は、かがり付けに代えて、ストッパーを用いて、編み込み土台とかつらを結合する発明を先に提案し特願２００３−６８８６１号として出願した。このようなかつらにも適用できるものである。
【実施例２】
【００２３】
指が挿通する大きな網目を一部に設けるものである。
図３は、大きな網目を形成した部分略図である。ネットの一部の網目を大きくする手段としては、同じ間隔で結びつけられる結節の間隔を一つとばすなどして、結節間隔を変更して形成する方法がある。この場合、やや毛の密度に濃淡がでる可能性が有るが、網糸を結節しないで折り返して略３角形に形づけすると密度変化には影響が少ないようにすることができる。
幹糸間に網糸をジグザグに往復させて略三角形の網目を形成した様子が図示されている。この図では、結節の所定間隔はｒ１で表され、結節は、２５１，２５２，２５３の符号が与えられている。この図では、実際には、結節２５２には網糸を固定せずに、結節２５１と結節２５３の間を通常の２倍として大きな網目Ｂを形成した図が示されている。また、この場合、通常のジグザグ状態として、結節２５２のところでは結びつけないようにすると、網糸２４の長さが所定量確保されることとなるので、人工毛の密度には影響が出ないようにすることができる。
結節の作成は、幹糸と網糸だけで結びつけることもできるし、両者を別の結節糸で結わえることもできる。結節糸を用いた場合は、結節を解くことで事後的に容易に指の挿通位置を変更できる。
【実施例３】
【００２４】
２本の糸で幹糸を形成し、２重幹糸のそれぞれに結節して、２本の幹糸の隙間から指を挿入する例である。
２重の幹糸の一方を２重幹糸ａ２２１、他方の２重幹糸ｂ２２２で示している。これらの幹糸状には結節が所定間隔で２５１〜２５５の５つ設けられている。結節２５１と結節２５３は双方の幹糸に設けられ、結節２５２は一方の２重幹糸ａ２２１に設けられ、結節２５４と結節２５５は他方の２重幹糸ｂ２２２に設けられ、結節２５１と結節２５３の間に幹糸隙間Ｃが形成されることとなる。この幹糸隙間Ｃの長さは、結節状態を変更することにより自由に調節できる。また、この隙間を形成する付近だけの幹糸を２本設けて２重とすることもできるし、幹糸全体を２本で形成することもできる。実施例２と同様に、結節糸を用いる場合は、２重の幹糸の一方だけに結わえることにより隙間を形成できるので、指の挿通箇所の設定の自由度は向上する。
【図面の簡単な説明】
【００２５】
【図１】ネットベースかつらを裏面側から見た模式的図
【図２】人工皮膚とその周辺部の概略図
【図３】網目の結節とばし部の略図
【図４】２重幹糸部の略図
【図５】かつらの装着工程図
【符号の説明】
【００２６】
Ａ  かつら
Ｂ  大網目
Ｃ  幹糸隙間
１  人工毛
２  ネットベース
２０  ネット部
２１  環状部
２２  幹糸
２２１  ２重幹糸ａ
２２２  ２重幹糸ｂ
２３  第１幹糸
２４  網糸
２５１，２５２，２５３、２５４、２５５  結節
３０  人工皮膚
３１  人工皮膚縁部
４０  開放縁部
５０  連結糸条
【図１】
2005350824.tif 000003
【図２】
2005350824.tif 000004
【図３】
2005350824.tif 000005
【図４】
2005350824.tif 000006
【図５】
2005350824.tif 000007